(57)【特許請求の範囲】
【請求項１】
打球の飛距離を調節するための操作レバーを回転自在に設けてなる打球発射操作ハンドルの内部に設けられるパチンコ遊技機のハンドル振動装置であって、打球発射操作ハンドルの表装カバー部材の内面に弾性金属板からなる第一基板と第二基板と第三基板とを設け、該第一基板は表装カバー部材側に配置され該第一基板と第三基板との間に第二基板が挟着されるように設けるとともに、第三基板に電磁コイルを固着し、該第三基板の一側縁に弾性片を延設し該弾性片の先端に永久磁石を支持して該永久磁石を前記電磁コイルと接近状態で相対させ、第二基板には前記弾性片と反対側の側縁となるように鉤状に折り曲げられた弾性片を延設して該弾性片に前記永久磁石の振動と共振する重錘を固着し、第一基板の側縁には該重錘と僅かな隙間を介して対向する延長部を設けてなることを特徴としたパチンコ遊技機のハンドル振動装置。
【発明の詳細な説明】
【０００１】
【発明の属する技術分野】
本発明はパチンコ遊技機の打球発射操作ハンドルを遊技状況に従い振動させるハンドル振動装置の構成に関するものである。
【０００２】
【従来の技術】
パチンコ遊技機の打球発射操作ハンドルの内部に電磁コイルと永久磁石を接近状態で対向させてなる振動装置を設け、該電磁コイルに低周波電流を流すことにより該操作ハンドルを振動させ、遊技者に特定遊技態様等を効果的に演出し得るようにするものは、本出願人の特許出願に係る特開２００１−１２０７４１，特開２００１−１２０７４２等によりすでに知られている。
【０００３】
【発明が解決しようとする課題】
ところで、上記従来の振動装置では、ハンドルに内蔵し得る小型に構成するものであるので、充分に強い振動が体感できず、またその振動の強さも止ビスのネジ締め等によって異なり易く、製品によってバラツキが生じ易いものであった。
【０００４】
そこで本発明は、この振動装置の構造を改良することにより、安定的に強い振動を発生できるとともに、その小型化も可能となるようにするものである。
【０００５】
【課題を解決するための手段】
そのために本発明は、打球の飛距離を調節するための操作レバーを回転自在に設けてなる打球発射操作ハンドルの内部に設けられるパチンコ遊技機のハンドル振動装置であって、打球発射操作ハンドルの表装カバー部材の内面に弾性金属板からなる第一基板と第二基板と第三基板とを設け、該第一基板は表装カバー部材側に配置され該第一基板と第三基板との間に第二基板が挟着されるように設けるとともに、第三基板に電磁コイルを固着し、該第三基板の一側縁に弾性片を延設し該弾性片の先端に永久磁石を支持して該永久磁石を前記電磁コイルと接近状態で相対させ、第二基板には前記弾性片と反対側の側縁となるように鉤状に折り曲げられた弾性片を延設して該弾性片に前記永久磁石の振動と共振する重錘を固着し、第一基板の側縁には該重錘と僅かな隙間を介して対向する延長部を設けてなることを特徴とする。
【０００６】
【発明の実施の形態】
次に図面に従い本発明の実施形態を説明する。図１はパチンコ遊技機の打球発射操作ハンドルの外観斜視図で、前面板１に一体に形成された取付部２に半割雲形器状の取付基盤３が固着され、該取付基盤に回動式の操作レバー４が設けられ、遊技者が該操作レバーに手指を掛けて回動操作し得るように構成されている。５は下皿６の一端面と連続する湾曲面状で上面に滑らかなＵ字形の曲面状窪み７が形成された特有な形態で操作レバー４の前面を覆う表装カバー部材である。該表装カバー部材５は図２，図４に示したように内面に突設された３本のボス８，９，１０に取付基盤３側から止ビス３０を螺合することにより取り付けられる。なお、この取り付けに当たっては、図２に例示したように、ウレタン，ゴム等の弾性部材からなるカラー３１を介在させて該止ビスを螺合することにより、該表装カバー部材５が取付基盤３に対し振動が許容されるようにする。
【０００７】
そして、表装カバー部材５の内面には図２，図３に示したように電磁コイル１１と永久磁石１２とからなる振動装置１３が設けられる。該振動装置１３は、図４に分解斜視図を示したように、表装カバー部材５の内面に固着される第一基板１４と、円柱状の重錘１５が固着された第二基板１６と、電磁コイル１１が固着された第三基板１７とからなる。第三基板１７はステンレス板等の弾性金属板からなりその中心に電磁コイル１１が止ビス（図示せず）によって固着され、該基板１７の一側縁に弾性片１８を延設し該弾性片をＵ字状に湾曲させその先端に永久磁石１２を該電磁コイル１１と接近状態で相対するように支持している。２０は該電磁コイル１１に低周波電流を流すためにアンプに接続するリード線である。そして該第三基板１７は第二基板１６に４本の止ビス２１により固着される。また、第二基板１６は第三基板１７と同様にステンレス板等の弾性金属板からなり、前記弾性片１８と反対側の側縁となるように鉤状に折り曲げられた弾性片２２を延設し、該弾性片２２に重錘１５をピン１９により固着している。また、第一基板１４は第二基板や第三基板よりもやや厚手のステンレス板からなる。そして該第一基板１４と第二基板１６と第三基板１７とを表装カバー部材５の内面に突設されたボス２３，ボス２４に２本の止ビス２５によって固着することにより、該第一基板１４と第三基板１７との間に第二基板１６を挟着する。そのとき重錘１５の端面を第一基板１４に設けられた延長部２６に対し僅かな隙間ｇを介して対向させる。なお、これによってボス２３とボス２４とを結ぶ直線の両側に前記弾性片１８と弾性片２２とが対称的に配置される。
【０００８】
また、このパチンコ遊技機では図５のブロック図に示したようにＣＰＵ，ＲＡＭ，ＲＯＭおよびＩ／Ｏからなる遊技制御回路（メイン）基板３８が設けられ、該基板に始動スイッチ３９，大入賞口スイッチ４０，継続スイッチ４１，入賞口開閉用ソレノイド４２が接続されているほか、図柄制御回路基板４３を介して図柄変動表示装置４４が接続され、ランプ制御回路４５を介して電飾ランプ４６，４７が接続され、音声発生制御回路４８を介してスピーカ４９およびこの振動装置１３の電磁コイル１１が接続される。そして該音声発生制御回路４８の音源ＲＯＭ５０に音声，効果音等の波形データとともに波形，周波数等の振動用データが記憶され、遊技制御回路基板３８から指令があると音声発生制御回路４８は音源ＲＯＭ５０に記憶された音声，効果音等をスピーカー４９より再生するとともに、該音源ＲＯＭに記憶されている振動用データに基づき６０Ｈｚ〜７０Ｈｚ程度の低周波を電磁コイル１１に出力する。
【０００９】
このため、電磁コイル１１がその低周波数に従って励起し永久磁石１２を吸引，反発させ該永久磁石１２をその周波数にて振動させる。そして該永久磁石１２の振動は第三基板１７から第二基板１６，第一基板１４に伝達され表装カバー部材５を振動させる。このとき、弾性片２２に支持された重錘１５が共振しその振動を加速させる。また該重錘１５が振動することにより該重錘１５の端面が延長部２６を叩打し、該第一基板１４をより振動させることから表装カバー部材５を一層強く振動させることができる。また、該重錘１５が設けられた第二基板１６が第一基板１４と第三基板１７との間に挟着されていることもこの振動を強化する作用を持つとともに、止ビスの螺合強度による偏差を緩和し振動の強さを安定させる。このためこの振動は、表装カバー部材５を触って操作レバー４を回動操作している遊技者の手に強烈に伝達される。
【００１０】
【発明の効果】
このように本発明に係るパチンコ遊技機のハンドル振動装置は、電磁コイルが固着された基板の一側縁に弾性片を延設し該弾性片により永久磁石を該電磁コイルと接近状態で相対するように支持するとともに、該基板の他側縁に延設した弾性片に該永久磁石の振動と共振する重錘を設けたことにより、振動が強化され、遊技者に強烈に振動を体感させることができる。また、小型でも強い振動を発生できるようになるとともに、その振動の強さも安定するなど顕著な効果がある。
【図面の簡単な説明】
【図１】本発明に係るパチンコ遊技機の打球発射操作ハンドルの実施形態を示した外観斜視図。
【図２】本発明に係るパチンコ遊技機の打球発射操作ハンドルの実施形態を示した部分断面平面図。
【図３】本発明に係るパチンコ遊技機の打球発射操作ハンドルの実施形態を示した表装カバー部材の裏面図。
【図４】本発明に係るパチンコ遊技機の打球発射操作ハンドルの実施形態を示した振動装置の分解斜視図。
【図５】本発明の実施形態を示すパチンコ遊技機のブロック図。
【符号の説明】
４      操作レバー
５      表装カバー部材
１１    電磁コイル
１２    永久磁石
１３    振動装置
１４    第一基板
１５    重錘
１６    第二基板
１７    第三基板
１８    弾性片
２１    止ビス
２２    弾性片
２３    ボス
２４    ボス
２５    止ビス
２６    延長部
ｇ      隙間
【図１】
0003845278.tif 000002
【図２】
0003845278.tif 000003
【図３】
0003845278.tif 000004
【図４】
0003845278.tif 000005
【図５】
0003845278.tif 000006